(57)【要約】【課題】デジタル放送受信装置が有している機能を最大限活用して、電子番組表を管理するコンピュータを使用せずに、他のデジタル放送受信装置に対して録画予約を設定する。【解決手段】ユーザは、入力装置３０を用いて録画予約する番組を選択し、録画予約データとして設定する。番組予約データメモリ部１３に格納された予約録画データの中から所望の予約録画データを選択する。他のデジタル放送受信機に送信するために選択された予約録画データは、番組予約データ変換部１４により、電子メールに添付可能なデータに変換され、入力装置３０を用いて作成された電子メール本文に添付データとして添付され、送信電子メールデータメモリ部１５に格納される。【選択図】      図１
2004357008.tif 000002
【特許請求の範囲】
【請求項１】
ユーザが電子番組表を参照して指定した視聴希望番組情報を電子メールデータに変換する変換手段と、
前記変換手段により変換された電子メールデータを送信する送信手段とを備えたことを特徴とするデジタル放送受信装置。
【請求項２】
視聴希望番組情報を含む電子メールデータを受信する受信手段と、
前記受信手段により受信した電子メールデータを解析する解析手段と、
前記解析手段により解析した視聴希望番組情報に基づいて番組の視聴を行う視聴手段とを備えたことを特徴とするデジタル放送受信装置。
【請求項３】
ユーザが電子番組表を参照して指定した視聴希望番組情報を電子メールデータに変換する変換手段と、
前記変換手段により変換された電子メールデータを送信する送信手段と、
視聴希望番組情報を含む電子メールデータを受信する受信手段と、
前記受信手段により受信した電子メールデータを解析する解析手段と、
前記解析手段により解析した視聴希望番組情報に基づいて番組の視聴を行う視聴手段とを備えたことを特徴とするデジタル放送受信装置。
【請求項４】
前記視聴希望番組情報を含む電子メールデータは、添付データとして電子メール本文に添付されることを特徴とする請求項１〜３のうちいずれか１項記載のデジタル放送受信装置。
【請求項５】
前記視聴希望番組の録画予約手段と、
前記視聴希望番組の録画再生手段とを備えたことを特徴とする請求項１〜４のうちいずれか１項記載のデジタル放送受信装置。
【発明の詳細な説明】
【０００１】
【発明の属する技術分野】
本発明は、デジタル放送受信装置に関し、詳しくは、電子番組表（ＥＰＧ）を参照して選択した番組を、通信回線を介して遠隔地のユーザに送信し、送信元および送信先において、選択した番組を相互に共有することが可能なデジタル放送受信装置に関する。
【０００２】
【従来の技術】
従来、電子メールを用いて録画予約を行う装置が種々開発されている。
例えば、録画予約に関する情報を電子メールに添付して端末に送信し、その電子メールを受信した端末が自動的に録画予約を行うことができるようにした装置が開示されている（例えば、特許文献１参照）。この装置では、遠隔地のユーザが電話回線を介してＥＰＧサーバにアクセスすることにより電子番組表（ＥＰＧ）を表示させ、所望の番組の録画予約の設定操作を行う。そして、ＥＰＧサーバに対して、設定された録画予約データを電子メールに添付してパーソナルコンピュータへ送信するように要求する。この送信要求を受けたＥＰＧサーバは、録画予約データをＥＰＧ情報データベースから読み出して電子メールに添付し、インターネットを介して遠隔地に設置されたパーソナルコンピュータに送信する。パーソナルコンピュータには録画装置が接続されており、受信した録画予約データに基づいて録画装置を動作させて録画予約を行うようになっている。
【０００３】
また、ユーザが電子番組表（ＥＰＧ）を参照して視聴希望番組を指定し、指定された視聴希望番組情報の放送開始を電子メールデータとしてユーザに通知する装置が開示されている（例えば、特許文献２参照）。
【０００４】
【特許文献１】
特開２００２−１１８８０５号公報
【特許文献２】
特開２００１−１１９６８１号公報
【０００５】
【発明が解決しようとする課題】
しかしながら、上記特許文献１に記載された装置では、電子番組表（ＥＰＧ）を管理するコンピュータや専用のサーバを備えていなければならず、装置構成が複雑なものとなるという問題があった。
【０００６】
また、上記特許文献２に記載された装置では、視聴希望番組情報の放送開始毎に、通信手段を用いてその旨を通知しなければならず、視聴希望番組を一括管理することができないという問題があった。また、番組通知システムが必要とされるなど、装置構成が複雑なものとなるという問題があった。
【０００７】
本発明は、上述した事情に鑑みてなされたもので、デジタル放送受信装置が有している機能を最大限活用することにより、電子番組表を管理するコンピュータを使用せずに、他のデジタル放送受信装置に対して録画予約を設定することが可能なデジタル放送受信装置を提供することを目的とする。
【０００８】
【課題を解決するための手段】
本発明のデジタル放送受信装置は、ユーザが電子番組表を参照して指定した視聴希望番組情報を電子メールデータに変換する変換手段と、前記変換手段により変換された電子メールデータを送信する送信手段とを備えたことを特徴とするものである。
【０００９】
また、本発明のデジタル放送受信装置は、視聴希望番組情報を含む電子メールデータを受信する受信手段と、前記受信手段により受信した電子メールデータを解析する解析手段と、前記解析手段により解析した視聴希望番組情報に基づいて番組の視聴を行う視聴手段とを備えたことを特徴とするものである。
【００１０】
また、本発明のデジタル放送受信装置は、ユーザが電子番組表を参照して指定した視聴希望番組情報を電子メールデータに変換する変換手段と、前記変換手段により変換された電子メールデータを送信する送信手段と、視聴希望番組情報を含む電子メールデータを受信する受信手段と、前記受信手段により受信した電子メールデータを解析する解析手段と、前記解析手段により解析した視聴希望番組情報に基づいて番組の視聴を行う視聴手段とを備えたことを特徴とするものである。
【００１１】
また、前記デジタル放送受信装置において、前記視聴希望番組情報を含む電子メールデータは、添付データとして電子メール本文に添付されることを特徴とする。
【００１２】
また、前記デジタル放送受信装置において、前記視聴希望番組の録画予約手段と、前記視聴希望番組の録画再生手段とを備えることを特徴とする。
【００１３】
このような構成からなるデジタル放送受信装置では、番組とともに放送される電子番組表を受信して画面表示し、ユーザの操作に基づいてユーザが視聴を希望する番組を視聴する。そして、変換手段により、ユーザが指定した視聴希望番組情報を電子メールデータに変換し、送信手段により、視聴希望番組情報を含む電子メールデータを他のデジタル放送受信装置に対して送信する。
【００１４】
電子メールの受信手段を有するデジタル放送受信装置では、受信手段により、視聴希望番組情報を含む電子メールデータを受信し、解析手段により、電子メールデータを解析する。そして、視聴手段により、解析した視聴希望番組情報に基づいて番組の視聴を行う。なお、デジタル放送受信装置は、送信手段と受信手段のいずれか一方のみを備えていてもよいし、双方とも備えていてもよい。
【００１５】
このように、送信手段を備えたデジタル放送受信装置と、受信手段を備えたデジタル放送受信装置とを組み合わせることにより、双方のデジタル放送受信装置で、ユーザが視聴を希望する番組情報を共有して、当該番組情報を一括管理することができる。
【００１６】
また、視聴希望番組情報を含む電子メールデータを、添付データとして電子メール本文に添付することにより、複雑な構造を有するデータやバイナリデータであっても特別な変換処理等を施すことなく、インターネット等のネットワークにおいてＭＩＭＥ規格に準拠して送受信することができる。
【００１７】
また、視聴希望番組の録画予約手段および録画再生手段を備えることにより、汎用性の高いデジタル放送受信装置とすることができる。
【００１８】
【発明の実施の形態】
以下、図面を参照して、本発明のデジタル放送受信装置の実施形態を説明する。
【００１９】
図１および図２は、本発明の実施形態に係るデジタル放送受信装置の構成を示すもので、図１は、電子番組表を参照してユーザが視聴を希望する番組を選択し、当該視聴希望番組を含む電子メールデータを送信する機能を説明するためのブロック図であり、図２は、ユーザが選択した視聴希望番組を含む電子メールデータを受信する機能を説明するためのブロック図である。なお、図１および図２に示すデジタル放送受信装置では、従来のデジタル放送受信装置と同様の機能を有する装置については図示せず、本発明の実施形態において特有な機能を有する部分についてのみ図示している。
【００２０】
本発明の実施形態に係るデジタル放送受信装置は、図１および図２に示すように、主な構成要素としてデジタル放送受信機１０と入力装置３０とを備えている。
【００２１】
デジタル放送受信機１０は、テレビジョン放送局から送信された電波を受信して、画像および音声を再生するための装置であり、これらの機能を有する装置に関しては、従来のデジタル放送受信機とほぼ同様の構成となっている。すなわち、図示しないが、デジタル放送受信機１０は、放送の電波を受信するアンテナ、受信した電波の検波を行うチューナー、電波から抽出された映像データと音声データを復号した後に出力するディスプレイやスピーカ等からなる映像・音声出力手段等を備えている。さらに、デジタル放送受信機１０は、公衆回線、無線通信システム等を介してネットワークに接続されており、他のデジタル放送受信機１０を含む他の端末と電子メールの送受信を行えるようになっている。
【００２２】
入力装置３０は、デジタル放送受信機１０に対する指令を入力するための装置であり、キーボード、タッチパネル等の入力デバイスを備えており、ユーザが入力デバイスを用いて、電子メール本文の作成、電子メールの送信指示等を行うようになっている。なお、この入力装置３０は、デジタル放送受信機１０の本体と一体に構成されていてもよいが、デジタル放送受信機１０の本体とは別体に構成され、赤外線等を用いてデータを送信するリモートコントロール装置等であってもよい。
【００２３】
次に、本発明の実施形態において特有な機能を有する部分について説明する。
本発明の実施形態に係るデジタル放送受信機１０は、電子番組表を参照してユーザが視聴を希望する番組を選択し、当該視聴希望番組を含む電子メールデータを送信する機能を有する部分として、図１に示すように、表示部１１、電子番組表データ部１２、番組予約データメモリ部１３、番組予約データ変換部１４、送信電子メールデータメモリ部１５、および電子メール発信部１６を備えている。
【００２４】
ここで、番組予約データ変換部１４が視聴希望番組情報を電子メールデータに変換する変換手段として機能し、電子メール発信部１６が電子メールデータを送信する送信手段として機能する。
なお、表示部１１は、デジタル放送受信機１０の本体と一体に構成されていてもよいが、デジタル放送受信機１０の本体とは別体に構成されていてもよい。
【００２５】
このデジタル放送受信機１０では、デジタル放送の録画予約を設定する際に、放送と一緒に送信されてくる電子番組表（ＥＰＧ）を受信し、電子番組表データ部１２に格納する。そして、電子番組表データ部１２に格納された情報をＣＲＴ、液晶表示装置等からなる表示部１１に表示する。
【００２６】
ユーザは、入力装置３０を用いて録画予約する番組を選択し、録画予約データとして設定する。設定され録画予約データは、番組予約データメモリ部１３に格納される。
【００２７】
また、番組予約データメモリ部１３に格納された予約録画データを、他のデジタル放送受信機に送信するには、データ入力装置３０を用いて、番組予約データメモリ部１３に格納された予約録画データの中から所望の予約録画データを選択する。この際、番組予約データメモリ部１３に格納された予約録画データは、表示部１１等に表示される。
【００２８】
他のデジタル放送受信機に送信するために選択された予約録画データは、番組予約データ変換部１４により、電子メールに添付可能なデータに変換され、入力装置３０を用いて作成された電子メール本文に添付データとして添付され、送信電子メールデータメモリ部１５に格納される。
なお、入力装置３０を用いて作成される電子メール本文は、特にその内容が限定されるものではなく、送信相手である他のデジタル放送受信機を特定するためのアドレス等が指定されていれば十分である。
【００２９】
そして、ユーザが入力装置３０を用いて電子メールの発信を指示すると、電子メール発信部１６により、送信電子メールデータメモリ部１５に格納された電子メールが発信される。
【００３０】
また、本発明の実施形態に係るデジタル放送受信機１０は、ユーザが選択した視聴希望番組を含む電子メールデータを受信する機能を有する部分として、図２に示すように、電子メール受信部１７、受信電子メールデータメモリ部１８、録画予約データ解析部１９、電子番組表データ部１２、番組予約データメモリ部１３、録画予約実行部２０、録画再生部２１、および視聴部２２を備えている。
【００３１】
ここで、電子メール受信部１７が電子メールデータを受信する受信手段として機能し、録画予約データ解析部１９が電子メールデータを解析する解析手段として機能し、録画予約実行部２０が録画予約手段として機能し、録画再生部２１が録画再生手段として機能し、視聴部２２が番組の視聴を行う視聴手段として機能する。
なお、録画予約実行部２０および録画再生部２１は、デジタル放送受信機１０の本体と一体に構成してもよいが、デジタル放送受信機１０の本体とは別体に構成してもよい。
【００３２】
このデジタル放送受信機１０では、デジタル放送の録画予約を行う際に、電子メール受信部１７により、録画予約データが添付された電子メールを受信し、受信電子メールデータメモリ部１８に格納する。
【００３３】
電子メールに添付されている録画予約ファイルは、入力装置３０からファイル操作が指示されると、添付ファイルが開かれ、録画予約データが取り出される。なお、電子メールを受信した際に、添付ファイルを自動的に開くような構成としてもよい。また、録画予約データが取り出された際に、これをＣＲＴまたは液晶表示装置等からなる表示部（図２において図示せず）に表示して、ユーザに確認させるような構成としてもよい。
【００３４】
取り出された録画予約データは、録画予約データ解析部１９により解析される。そして、解析された録画予約データに基づいて電子番組表データ部１２に格納された番組情報が検索され、予約録画データと一致する番組情報があれば、番組予約データメモリ部１３に格納される。
【００３５】
録画予約実行部２０では、番組予約データメモリ部１３に格納された番組情報に基づいて録画が予約される。録画予約実行部２０により録画された番組は、録画再生部２１により再生され、視聴部２２により視聴される。
【００３６】
なお、上述した実施形態では、電子番組表を参照してユーザが視聴を希望する番組を選択し、当該視聴希望番組を含む電子メールデータを送信する機能と、ユーザが選択した視聴希望番組を含む電子メールデータを受信する機能を別々に説明したが、本発明に係るデジタル放送受信装置では、いずれか一方の機能のみを備えて構成してもよく、双方の機能を備えて構成してもよい。
【００３７】
また、録画予約を行わずに、ユーザが選択した視聴希望番組を直ちに視聴する場合には、録画予約実行部２０および録画再生部２１を省略することができる。
【００３８】
また、録画予約データを電子メール本文に対する添付ファイルとしたが、ＭＩＭＥ規格等に準拠してエンコードおよびデコードする必要がない録画予約データである場合には、これを電子メール本文に記載するように構成してもよい。
【００３９】
【発明の効果】
以上説明したように、本発明のデジタル放送受信装置によれば、電子番組表を管理するコンピュータや専用のサーバ等を備えることなく、遠隔地に設置されたデジタル放送受信装置間で、ユーザが視聴を希望する番組に関するデータを容易に送受信することができるとともに、ユーザが視聴を希望する番組を一括管理することができる。
【００４０】
また、ユーザが視聴を希望する番組に関するデータを電子メール本文に対する添付ファイルとすることにより、当該データに対して特別な変換処理等を施すことなく、インターネット等のネットワークにおいてＭＩＭＥ規格に準拠して送受信することができる。
【００４１】
また、録画予約手段および録画再生手段を備えることにより、ユーザが視聴を希望する番組に関するデータを受信した場合に、コンピュータ等の装置を用いることなく、録画予約および録画再生を行うことができる。
【図面の簡単な説明】
【図１】本発明の実施形態に係るデジタル放送受信装置において、視聴希望番組を含む電子メールデータを送信する機能を説明するためのブロック図である。
【図２】本発明の実施形態に係るデジタル放送受信装置において、視聴希望番組を含む電子メールデータを受信する機能を説明するためのブロック図である。
【符号の説明】
１０  デジタル放送受信機
１１  表示部
１２  電子番組表データ部
１３  番組予約データメモリ部
１４  番組予約データ変換部
１５  送信電子メールデータメモリ部
１６  電子メール発信部
１７  電子メール受信部
１８  受信電子メールデータメモリ部
１９  録画予約データ解析部
２０  録画予約実行部
２１  録画再生部
２２  視聴部
３０  入力装置
【図１】
2004357008.tif 000003
【図２】
2004357008.tif 000004